(57)【要約】【課題】簡単な操作でロック解除を行えるようにした印判を提供すること。【解決手段】印判１は、外筒１１に収容され該外筒内で移動可能な内筒１２と、外筒の移動に連動し得るようにして内筒に収容された印字体１４と、外筒及び内筒との間の相対移動に連動して開閉するように適合された開閉蓋１３とを備えている。外筒及び内筒の上下動を規制し得るよう構成されたロック手段は、押圧操作により内筒の係止部に係止して外筒の下動をロックするように形成された押圧ロック片１８と、外筒にスライド操作可能に設けられ、所定位置にスライド操作がされるのに連動して押圧ロック片を引き出してロックを解除するように形成されたスライド操作片１９とを備える。使用者は、例えば片手でスライド操作片を下方にスライド操作するだけで、簡単にロック解除操作を行うことができる。【選択図】図１４Ａ
2019006069.tif 000002
【特許請求の範囲】
【請求項１】
外筒と、前記外筒に収容され該外筒内で移動可能な内筒と、前記外筒の移動に連動し得るようにして前記内筒に収容された印字体と、前記外筒及び内筒の上下動を規制し得るよう構成されたロック手段とを備え、前記外筒の下動により前記内筒の下端部から前記印字体の印面が露出して捺印が可能となる印判であって、
前記ロック手段が、
所定の押圧位置で前記内筒の係止部に係止して前記外筒の下動をロックするように形成された押圧ロック片と、
前記外筒にスライド操作可能に設けられ、所定のロック解除位置にスライド操作がされるのに連動して前記押圧ロック片を前記押圧位置から引き出して、前記外筒の下動のロックを解除するように形成されたスライド操作片と
を備えていることを特徴とする印判。
【請求項２】
前記押圧ロック片が押圧操作されるのに連動して前記スライド操作片を前記ロック解除位置からロック操作許容位置に復帰させるように構成された第一のスライド操作片復帰手段を更に備えていることを特徴とする、請求項１に記載の印判。
【請求項３】
捺印時に前記外筒の下動に連動して前記スライド操作片を前記ロック解除位置からロック操作許容位置に復帰させるように構成された第二のスライド操作片復帰手段を更に備えていることを特徴とする、請求項１に記載の印判。
【請求項４】
前記スライド操作片が、前記外筒及び内筒が上下動する動線方向において前記外筒にスライド操作可能に設けられ、
前記第二のスライド操作片復帰手段が、前記外筒の下動中に前記内筒の一部が前記スライド操作片に当接して該スライド操作片を前記ロック解除位置から前記ロック操作許容位置に向けて移動させるように構成されていることを特徴とする、請求項３に記載の印判。
【請求項５】
前記スライド操作片が、前記外筒及び内筒が上下動する動線方向に対して直交する横方向において前記外筒にスライド操作可能に設けられ、
前記第二のスライド操作片復帰手段が、前記内筒に形成される傾斜面部であって、前記外筒及び内筒が上下動する動線方向に対し前記横方向に向けて所定角度で傾く方向に面法線を有する傾斜面部を少なくとも備え、
前記傾斜面部が、前記外筒の下動中に前記スライド操作片に当接し摺動しながら該スライド操作片を前記ロック解除位置から前記ロック操作許容位置に向けて移動させるように適合されていることを特徴とする、請求項３に記載の印判。
【請求項６】
前記ロック手段が、前記外筒が前記内筒に対して上動した上位置、及び、前記外筒が前記内筒に対して下動した下位置の少なくとも双方の各位置において前記押圧ロック片の押圧操作が許容されることにより、前記各位置における前記外筒及び内筒の上下動が規制され得るように構成されていることを特徴とする、請求項１〜５の何れか１項に記載の印判。
【発明の詳細な説明】
【技術分野】
【０００１】
本発明は、捺印動作をロック可能なロック手段を備えた印判に関する。
【背景技術】
【０００２】
従来、不用意な捺印動作を防ぐため、外筒の下動をロックするロック手段を備えた印判が知られている。例えば特許文献１に開示される印鑑ケースは、外筒をノックキャップ内に少し押し込んで一方向に回転させること、又はノックキャップを外筒に押し込んだ位置で、ノックキャップに装着させたストッパーを押し込むことで、ノックキャップの下動、つまり捺印動作をロックする構造である。
【先行技術文献】
【特許文献】
【０００３】
【特許文献１】特許第２８３１０５４号公報
【発明の概要】
【発明が解決しようとする課題】
【０００４】
しかし、特許文献１の印鑑ケースでは、ロック状態を解除するために、一方の手で外筒を保持し、他方の手でノックキャップを回すか又はストッパーを引き抜く操作が必要である。そのため、片手のみで簡単にロック状態を解除することが困難であった。
【０００５】
本発明は、捺印動作をロック可能なロック手段を備えた印判において、簡単な操作でロック解除を行えるようにした印判を提供することを目的としている。
【課題を解決するための手段】
【０００６】
上述した課題を解決するため、本発明は、外筒と、前記外筒に収容され該外筒内で移動可能な内筒と、前記外筒の移動に連動し得るようにして前記内筒に収容された印字体と、前記外筒及び内筒の上下動を規制し得るよう構成されたロック手段とを備え、前記外筒の下動により前記内筒の下端部から前記印字体の印面が露出して捺印が可能となる印判であって、前記ロック手段が、所定の押圧位置で前記内筒の係止部に係止して前記外筒の下動をロックするように形成された押圧ロック片と、前記外筒にスライド操作可能に設けられ、所定のロック解除位置にスライド操作がされるのに連動して前記押圧ロック片を前記押圧位置から引き出して、前記外筒の下動のロックを解除するように形成されたスライド操作片とを備えていることを特徴とする。
【０００７】
印判は、前記押圧ロック片が押圧操作されるのに連動して前記スライド操作片を前記ロック解除位置からロック操作許容位置に復帰させるように構成された第一のスライド操作片復帰手段を更に備えていることが好ましい。
【０００８】
また、印判は、捺印時に前記外筒の下動に連動して前記スライド操作片を前記ロック解除位置からロック操作許容位置に復帰させるように構成された第二のスライド操作片復帰手段を更に備えていることが好ましい。
【０００９】
また、印判は、前記スライド操作片が、前記外筒及び内筒が上下動する動線方向において前記外筒にスライド操作可能に設けられ、前記第二のスライド操作片復帰手段が、前記外筒の下動中に前記内筒の一部が前記スライド操作片に当接して該スライド操作片を前記ロック解除位置から前記ロック操作許容位置に向けて移動させるように構成されているものでもよい。
【００１０】
また、印判は、前記スライド操作片が、前記外筒及び内筒が上下動する動線方向に対して直交する横方向において前記外筒にスライド操作可能に設けられ、前記第二のスライド操作片復帰手段が、前記内筒に形成される傾斜面部であって、前記外筒及び内筒が上下動する動線方向に対し前記横方向に向けて所定角度で傾く方向に面法線を有する傾斜面部を少なくとも備え、前記傾斜面部が、前記外筒の下動中に前記スライド操作片に当接し摺動しながら該スライド操作片を前記ロック解除位置から前記ロック操作許容位置に向けて移動させるように適合されているものでもよい。
【００１１】
また、印判は、前記ロック手段が、前記外筒が前記内筒に対して上動した上位置、及び、前記外筒が前記内筒に対して下動した下位置の少なくとも双方の各位置において前記押圧ロック片の押圧操作が許容されることにより、前記各位置における前記外筒及び内筒の上下動が規制され得るように構成されていることが好ましい。
【発明の効果】
【００１２】
本発明に係る印判によれば、外筒及び内筒の上下動を規制し得るよう構成されたロック手段が、所定の押圧位置で前記内筒の係止部に係止して前記外筒の下動をロックするように形成された押圧ロック片と、前記外筒にスライド操作可能に設けられ、所定のロック解除位置にスライド操作がされるのに連動して前記押圧ロック片を前記押圧位置から引き出して、前記外筒の下動のロックを解除するように形成されたスライド操作片とを備えている。これにより、印判の使用者は、例えば片手でスライド操作片をロック解除位置にスライド操作するだけで、簡単にロック解除操作を行うことができる。
【図面の簡単な説明】
【００１３】
【図１】本発明の第一実施形態による印判の斜視図である。
【図２】図１の印判の正面図である。
【図３】図２に示したIII-III線に沿う印判の断面図である。
【図４】外筒の斜視図である。
【図５】内筒の斜視図である。
【図６】印字体の斜視図である。
【図７】押圧ロック片の斜視図である。
【図８】縦スライド操作片の斜視図である。
【図９】外筒が下位置に操作されたときの上方から見た印判の斜視図である。
【図１０】外筒が下位置に操作されたときの下方から見た印判の斜視図である。
【図１１】外筒が上位置でスライド操作片がロック操作許容位置にあるときのロック手段の外観図である。
【図１２Ａ】図１１に示したXII-XII線に沿う断面図である。
【図１２Ｂ】図１１に示したXII-XII線に沿う断面図であって、押圧ロック片が押圧位置に操作されたときの図である（外筒が下動ロック状態）。
【図１３】外筒が上位置でスライド操作片がロック解除位置に操作されたときのロック手段の外観図である。
【図１４Ａ】図１３に示したXIV-XIV線に沿う断面図であって、ロック解除動作を説明するための図である。
【図１４Ｂ】図１３に示したXIV-XIV線に沿う断面図であって、ロック解除動作を更に説明するための図である。
【図１５】外筒が下位置に操作されたときの印判の正面図である。
【図１６Ａ】図１５に示したXVI-XVI線に沿う断面図であって、特にスライド操作片復帰動作を説明するための図である。
【図１６Ｂ】図１５に示したXVI-XVI線に沿う断面図であって、押圧ロック片が押圧位置に操作されたときの図である（外筒が上動ロック状態）。
【図１７Ａ】図１５に示したXVI-XVI線に沿う断面図であって、ロック解除動作を説明するための図である。
【図１７Ｂ】図１５に示したXVI-XVI線に沿う断面図であって、ロック解除動作を更に説明するための図である。
【図１８】本発明の第二実施形態による印判の斜視図である。
【図１９】外筒が下位置に操作されたときの上方から見た印判の斜視図である。
【図２０】外筒が下位置に操作されたときの下方から見た印判の斜視図である。
【図２１】外筒が上位置にあるときの印判の側面図である。
【図２２】外筒が上位置でスライド操作片がロック操作許容位置にあるときのロック手段の外観図である。
【図２３Ａ】図２２に示したXXIII-XXIII線に沿う断面図である。
【図２３Ｂ】図２２に示したXXIII-XXIII線に沿う断面図であって、押圧ロック片が押圧位置に操作されたときの図である（外筒が下動ロック状態）。
【図２４Ａ】図２２に示したXXIV-XXIV線に沿う断面図である。
【図２４Ｂ】図２２に示したXXIV-XXIV線に沿う断面図であって、押圧ロック片が押圧位置に操作されたときの図である（外筒が下動ロック状態）。
【図２５】外筒が上位置でスライド操作片がロック解除位置に操作されたときのロック手段の外観図である。
【図２６】図２５に示したXXVI-XXVI線に沿う断面図であって、ロック解除動作を説明するための図である。
【図２７Ａ】図２５に示したXXVII-XXVII線に沿う断面図であって、ロック解除動作を説明するための図である。
【図２７Ｂ】図２５に示したXXVII-XXVII線に沿う断面図であって、ロック解除動作を更に説明するための図である。
【図２８】外筒が下位置に操作されたときの印判の側面図である。
【図２９】外筒が下位置でスライド操作片がロック操作許容位置にあるときのロック手段の外観図である。
【図３０】図２９に示したXXX-XXX線に沿う断面図であって、押圧ロック片が押圧位置に操作されたときの図である（外筒が上動ロック状態）。
【図３１】外筒が下位置でスライド操作片がロック解除位置に操作されたときのロック手段の外観図である。
【図３２】図３１に示したXXXII-XXXII線に沿う断面図であって、ロック解除動作を説明するための図である。
【図３３】外筒が上位置にあるときのロック手段の外観図である。
【図３４】外筒が下位置に操作されたときのロック手段の外観図である。
【図３５】図３３に示したXXXV-XXXV線に沿う断面図であって、スライド操作片復帰動作を説明するための断面図である。
【図３６】図３４に示したXXXVI-XXXVI線に沿う断面図であって、スライド操作片復帰動作を更に説明するための断面図である。
【発明を実施するための形態】
【００１４】
以下、本発明に係る印判の好適な実施形態を、図面を参照しながら説明する。なお、本明細書において「前」及び「後」、「上位置」及び「下位置」、「上方向」及び「下方向」並びに「上動」及び「下動」というときには、単に相対的な位置関係や相対的な動作の方向を説明するのに過ぎず、絶対的な意味においては解釈されない。また、本明細書において、「縦方向」とは外筒及び内筒が上下動する動線方向をいい、「横方向」とは前記動線方向に対して直交する方向をいう。
【００１５】
（第一実施形態）
図１は、本発明の第一実施形態による印判１の斜視図である。図２は、図１の印判１の正面図である。図３は、図２に示したIII-III線に沿う印判の断面図である。これらの図に示されるように、印判１は、外筒１１と、外筒１１に収容され該外筒内で移動可能な内筒１２と、外筒１１の移動に連動し得るようにして内筒１２に収容された印字体１４と、外筒１１及び内筒１２との間の相対移動に連動して開閉するように適合された開閉蓋１３とを備えている。外筒１１内には、圧縮状態のコイルバネ１７が設けられ、コイルバネ１７の弾発力により、内筒１２が外筒１１から常時突出する方向に付勢されている。
【００１６】
外筒１１は、印判１の本体を構成するとともに、捺印をする際の持ち手部（グリップ）としても機能する部材である。ここで、図４は、印判１に用いられる外筒１１の外観斜視図である。外筒１１は、略角筒状を有しており、その天板部に印字体１４の上部（被嵌装部１４３）を嵌装するための印字体嵌装部１１１が開口形成されている。また、外筒１１の上部に、キャップを弾性係止するための係止爪１１２が形成されている。
【００１７】
また、外筒１１の前面部には、後述するスライド操作片１９がスライド操作可能に装着されるスライド操作片装着部１１３が形成されている。スライド操作片装着部１１３は、スライド操作片１９を外筒１１の前面部に上下方向（縦方向）に案内するためのガイド溝１１３ａ、スライド操作片１９を介して取り付けられる後述する押圧ロック片１８のロック部１８２を挿入させるためのロック孔１１３ｂ、及びスライド操作片１９を所定のスライド位置に保持するための嵌合保持溝１１３ｃを含む。
【００１８】
内筒１２は、例えば図５に示されるように、略角筒状の中空部材からなる。内筒１２は、その下端部１２ａに、印字体１４の印面を露出させるための開口を有している。また、内筒１２は、その上部が、外筒１１の下側開放部からスライド移動可能に挿入される。
【００１９】
図５に示されるように、内筒１２の前面下部には、開閉蓋１３により閉じられるように適合された開放部１２３が形成されている。内筒１２の天板部には、印字体１４が貫通するよう適合された開口部１２４が形成されている。内筒１２の側面部には、開閉蓋１３の図示しないフォロア軸部を案内するためのカム孔部１２２が設けられている。内筒１２の前面部側の上端角部１２８は、印判１の不使用時に外筒１１が内筒１２に対して完全に上動した上位置で、後述する押圧ロック片１８のロック部１８２と係止することで、外筒１１の下動（捺印動作）をロックするための上係止部となっている。また、内筒１２の前面部２個所に形成されている溝孔部１２９は、印判１の捺印時に外筒１１が内筒１２に対して下動し、開閉蓋１３が開いた下位置で、同じく押圧ロック片１８のロック部１８２と係止することで、外筒１１の上動をロックするための下係止部となっている。
【００２０】
なお、詳細は後述するが、押圧ロック片１８、スライド操作片１９、上端角部（上係止部）１２８及び溝孔部（下係止部）１２９などにより、本実施形態の印判１のロック手段が構成される。
【００２１】
印字体１４は、内筒１２内に収容されるが、外筒１１の移動に連動し得るように該外筒１１に嵌装されている。図６に示されるように、印字体１４は略円柱状を有している。より具体的に、印字体１４は、円筒状の本体部１４１と、本体部１４１の左右部に形成されるガイド突起部１４２と、本体部１４１の上部に形成される被嵌装部１４３とを有して構成され、本体部１４１の下部１４１ａに、印面部１４ａ（図３参照）が設けられている。
【００２２】
上述したように、被嵌装部１４３が、外筒１１の天板部に開口する印字体嵌装部１１１に挿入されて保持されることで、印字体１４が外筒１１の移動に連動し得るように該外筒１１に嵌装されている。
【００２３】
開閉蓋１３は、内筒１２に回動可能に取り付けられる部材である。開閉蓋１３の図示しないフォロア軸部が、外筒１１に形成されたカム孔部及び内筒１２に形成されたカム孔部１２２とが交差する孔部に拘束されることにより、外筒１１及び内筒１２の上下動を開閉蓋１３の回動に変換するカム機構が構成されている。このカム機構により、開閉蓋１３は、外筒１１が内筒１２に対し下動するに従って開く側に回動し、逆に外筒１１が内筒１２から上動するに従って閉じる側に回動する。
【００２４】
印判１を使用しないときには、コイルバネ１７の弾発力により、内筒１２が外筒１１から最も突出する位置となる。このとき、開閉蓋１３により、内筒１２の前面側の開放部１２３が塞がれるとともに、開閉蓋１３の裏面側のインキパッド容器１５に保持されたインキパッド１６が印字体１４の印面に対向当接し、インキが印面に供給される。
【００２５】
なお、インキパッド１６の材料としては、例えば、ポリエチレン（ＰＥ）及びポリプロピレン（ＰＰ）を素材とするポリオレフィン系繊維を用いることができる。インキパッド１６に含浸されるインキは、顔料系、染料系、油性系、水性系を問わず適宜使用可能である。例えば、コート紙、プラスチックフィルム、アルミニウム、鉄等の難吸収紙や非吸収材に捺印するための速乾性インキとしては、速乾性溶剤に着色剤や樹脂等を溶解混合した油性インキを用いることができる。また、インキパッド１６を保持するインキパッド容器１５は、開閉蓋１３の裏面側の容器保持部に、着脱可能に保持されることが好ましい。
【００２６】
印判１の捺印に際して、外筒１１がコイルバネ１７の弾発力に抗して押圧され下動すると、それに連動して開閉蓋１３が上方に回動して開状態となる（図９参照）。そして、外筒１１が更に下動し所定の位置に至ると、内筒１２の下端部１２ａから印字体１４の印面が露出することで捺印が可能となる（図１０参照）。また、外筒１１の押圧を開放すると、コイルバネ１７の弾発力により外筒１１が上動し、それに連動して開閉蓋１３が下方に回動して内筒１２を閉じるよう動作する。
【００２７】
本実施形態による印判１は、外筒１１及び内筒１２の上下動を規制し得るよう構成されたロック手段を備えている。次に、このロック手段の詳細を説明する。ロック手段は、外筒１１の前面部において押圧操作可能に設けられる押圧ロック片１８と、縦方向にスライド操作可能に設けられるスライド操作片１９とを備えている。ロック手段は、外筒１１が内筒１２に対して上動した上位置、及び、外筒１１が内筒１２に対して下動した下位置の少なくとも双方の各位置において、押圧ロック片１８の押圧操作が許容されることにより、各位置における外筒１１及び内筒１２の上下動が規制され得るように構成されている。
【００２８】
ここで、図７は、本実施形態による押圧ロック片１８の斜視図である。押圧ロック片１８は、横方向に若干屈曲する棒状部である押圧操作部１８１と、押圧操作部１８１の左右の各端部から後方に突起するロック部１８２を有している。押圧操作部１８１の背面側には、後方に向かうに従って下がる傾斜背面部１８３が形成されている。
【００２９】
図８は、本実施形態によるスライド操作片１９の斜視図である。スライド操作片１９は、横方向に若干湾曲する板状の操作板部１９１を主要部とする可動部材である。操作板部１９１の中央よりも下には、押圧ロック片１８が突没可能な開口部１９２が形成されている。操作板部１９１の左右の各端部には、上述した外筒１１のガイド溝１１３ａ（図４参照）に係合して、スライド操作片１９の縦方向へのスライド移動が案内される係合ガイド部１９３が形成されている。
【００３０】
次に、例えば印判１の不使用時において、外筒１１が捺印操作されていない上位置にあるときのロック手段の動作を説明する。ここで、図１１は、外筒１１が上位置にあるときのロック手段の外観図である。図１１に示されるように、スライド操作片１９が上側のロック操作許容位置にあるときには、図１２Ａに示されるように、押圧ロック片１８の押圧操作が許容される。そして、スライド操作片１９がロック操作許容位置で、押圧ロック片１８が所定の押圧位置に押圧操作（これを「押圧ロック操作」という。）されると、図１２Ｂに示されるように、押圧ロック片１８のロック部１８２が外筒１１の内側に突出する。これにより、押圧ロック片１８のロック部１８２が、内筒１２の上端角部（上係止部）１２８に係止可能となり、外筒１１の下動がロックされる（下動ロック状態）。外筒１１が下動ロック状態のときには、外筒１１に不測の外力が加えられても、外筒１１が下動することはない。したがって印判１の不用意な捺印動作を防止することができる。
【００３１】
次に、図１３は、スライド操作片１９が下側のロック解除位置にスライド操作されたときのロック手段の外観図である。スライド操作片１９が上述のロック操作許容位置からロック解除位置に向けてスライド操作されると、スライド操作片１９の開口部１９２の上縁部（べベルエッジ部）と、押圧ロック片１８の傾斜背面部１８３とが当接する。そして、図１４Ａに示されるように、スライド操作片１９が所定のロック解除位置にスライド操作がされるのに連動して、開口部１９２の上縁部と押圧ロック片１８の傾斜背面部１８３とが当接しながら摺動し、押圧ロック片１８が押圧位置から引き出される。これによりロック部１８２がロック孔１１３ｂ内に没入し、図１４Ｂに示されるように外筒１１の下動ロックが解除される。
【００３２】
このように、本実施形態では、スライド操作片１９をロック操作許容位置から下方のロック解除位置にスライド操作するだけで、押圧ロック片１８を非押圧位置に引き出すことができる。したがって、印判１の使用者は、例えば片手のみで簡単に外筒１１の下動ロック状態を解除することができる。
【００３３】
また、本実施形態の印判１は、押圧ロック片１８が押圧ロック操作されるのに連動して、スライド操作片１９をロック解除位置からロック操作許容位置に復帰させるように構成された第一のスライド操作片復帰手段を備えている。例えば図１４Ａに示したロック操作解除位置で押圧ロック片１８を押圧すると、押圧ロック片１８の傾斜背面部１８３がスライド操作片１９の開口部１９２に当接する。そして、更に押圧ロック片１８を押し込むと、これらが摺動してスライド操作片１９をロック操作許容位置に復帰させるとともに外筒１１をロックすることができる（図１２Ｂ参照）。
【００３４】
次に、外筒１１が例えば捺印操作された下位置でのロック手段の動作を説明する。ここで、図１５は、外筒１１が下位置にあるときの印判１の正面図である。図１５に示されるように、スライド操作片１９が上側のロック操作許容位置にあるときには、図１６Ａに示されるように、押圧ロック片１８の押圧操作が許容される。押圧ロック片１８が押圧ロック操作されると、図１６Ｂに示されるように、押圧ロック片１８のロック部１８２が内筒１２の溝孔部（下係止部）１２９に突入する。これにより、押圧ロック片１８のロック部１８２が、溝部１２８に係止可能となり、外筒１１の上動がロックされる（上動ロック状態）。
【００３５】
外筒１１が下位置に操作された状態では、図９、１０及び１５に示したように、開閉蓋１３が開状態となる。したがって、使用者は、外筒１１が下位置で押圧ロック片１８を押圧操作して簡単にロックすることができる。これにより、開閉蓋１３の開状態を保持したまま、インキパッド容器１５を取り出し、インキパッド１６の交換やインキの補充等を容易にすることができる。
【００３６】
本実施形態の印判１は、外筒１１が上動ロック状態のときでも、使用者がスライド操作片１９をロック解除位置にスライド操作することにより、簡単にロック解除を行うことができる。すなわち、図１７Ａに示されるように、スライド操作片１９が所定のロック解除位置にスライド操作がされるのに連動して、開口部１９２の上縁部と押圧ロック片１８の傾斜背面部１８３とが当接しながら摺動し、押圧ロック片１８が押圧位置から非押圧位置に引き出される。これにより、図１７Ｂに示されるように、外筒１１の上動ロックが解除される。
【００３７】
また、本実施形態の印判１は、捺印時に外筒１１の下動に連動してスライド操作片１９をロック解除位置からロック操作許容位置に自動的に復帰させるように構成された第二のスライド操作片復帰手段を更に備えている。第二のスライド操作片復帰手段は、例えば図１６Ａに示したように、捺印操作に伴い外筒１１が下動中に、内筒１２の一部である上端角部１２８がスライド操作片１９の突起部１９４に当接して、該スライド操作片１９を押し上げる。これにより、スライド操作片１９が下側のロック解除位置から上側のロック操作許容位置に向けて移動する。
【００３８】
本実施形態の印判１は、このような捺印操作に連動する第二のスライド操作片復帰手段を備えているので、使用者がスライド操作片１９をその都度ロック操作許容位置に戻す手間を省くことができる。また、スライド操作片１９が上側のロック操作許容位置に戻されていれば、押圧ロック片１８とスライド操作片１９とを摺動させずに小さな力で押圧ロック操作が可能となる。
【００３９】
（第二実施形態）
図１８は、本発明の第二実施形態による印判２の斜視図である。図１９は、外筒２１が下位置に操作されたときの上方から見た場合の印判２の斜視図である。図２０は、外筒２１が下位置に操作されたときの下方から見た場合の印判２の斜視図である。これらの図に示されるように、本実施形態の印判２は、外筒２１と、外筒２１に収容され該外筒２１内で移動可能な内筒２２と、外筒２１の移動に連動し得るようにして内筒２２に収容された印字体２４と、外筒２１及び内筒２２との間の相対移動に連動して開閉するように適合された開閉蓋２３とを備えている。外筒２１内には、圧縮状態のコイルバネが設けられ、コイルバネの弾発力により、内筒２２が外筒２１から常時突出する方向に付勢されている。開閉蓋２３は、外筒２１が内筒２２に対し下動するに従って開く側に回動し、逆に外筒２１が内筒２２から上動するに従って閉じる側に回動する。
【００４０】
印判２を使用しないときには、内部の図示しないコイルバネの弾発力により、内筒２２が外筒２１から最も突出する位置となる。このとき、開閉蓋２３により、内筒２２の背面側が塞がれるとともに、開閉蓋２３のインキパッド容器２５に保持されたインキパッド２６が印字体２４の印面に対向当接し、インキが印面に供給される。
【００４１】
印判２の捺印に際して、外筒２１が押圧操作され下動すると、それに連動して開閉蓋２３が上方に回動して開状態となる（図１９参照）。そして、外筒２１が更に下動し所定の位置に至ると、内筒２２の下端部２２ａから印字体２４の印面部２４ａが露出することで捺印が可能となる（図２０参照）。
【００４２】
本実施形態による印判２は、外筒２１及び内筒２２の上下動を規制し得るよう構成されたロック手段を備えている。本実施形態のロック手段は、外筒２１の側面部において押圧操作可能に設けられる押圧ロック片２８と、横方向にスライド操作可能に設けられるスライド操作片２９とを備えている。ロック手段は、外筒２１が内筒２２に対して上動した上位置、及び、外筒２１が内筒２２に対して下動した下位置の少なくとも双方の各位置において、押圧ロック片２８の押圧操作が許容されることにより、各位置における外筒２１及び内筒２２の上下動が規制され得るように構成されている。
【００４３】
ここで、図２１は、外筒２１が上位置にあるときの印判２の側面図である。そして、図２２は、図２１におけるロック手段の外観図である。図２２に示されるようにスライド操作片２９が左側のロック操作許容位置にあるときには、図２３Ａ及び２４Ａに示されるように、押圧ロック片２８の押圧操作が許容される。そして、スライド操作片２９がロック操作許容位置で、押圧ロック片２８が所定の押圧位置に押圧操作（これを「押圧ロック操作」という。）されると、図２３Ｂ及び２４Ｂに示されるように、押圧ロック片２８の背面側のロック部２８２が外筒２１のロック孔２１３ｂを介して内側に突出する。これにより、ロック部２８２が、内筒２２の段部（上係止部）２２８に係止可能となり、外筒２１の下動がロックされる（下動ロック状態）。外筒２１が下動ロック状態のときには、外筒２１に不測の外力が加えられても、外筒２１が下動することはない。したがって印判２の不用意な捺印動作を防止することができる。
【００４４】
次に、図２５は、スライド操作片２９が右側のロック解除位置にスライド操作されたときのロック手段の外観図である。スライド操作片２９がロック解除位置に向けてスライド操作されると、スライド操作片２９の開口部の傾斜面部２９５と、押圧ロック片２８の傾斜背面部２８３とが当接する。そして、図２６に示されるように、スライド操作片２９が所定のロック解除位置にスライド操作がされるのに連動して、スライド操作片２９の傾斜面部２９５と押圧ロック片２８の傾斜背面部２８３とが当接しながら摺動する（図２７Ａ参照）。これにより、押圧ロック片２８が押圧位置から引き出されて、ロック部２８２がロック孔２１３ｂ内に没入し、外筒２１の下動ロックが解除される（図２７Ｂ参照）。
【００４５】
このように、本実施形態では、スライド操作片２９をロック操作許容位置からロック解除位置にスライド操作するだけで、押圧ロック片２８を非押圧位置に引き出すことができる。したがって、印判２の使用者は、例えば片手のみで簡単に、外筒２１の下動ロック状態を解除することができる。
【００４６】
次に、外筒２１が例えば捺印操作された下位置でのロック手段の動作を説明する。ここで、図２８は、外筒２１が下位置にあるときの印判２の側面図である。そして、図２９は、図２８におけるロック手段の外観図である。これらの図に示されるように、スライド操作片２９が左側のロック操作許容位置にあるときには、押圧ロック片２８の押圧操作が許容される。押圧ロック片２８が押圧ロック操作されると、押圧ロック片２８のロック部２８２が内筒２２の段部（下係止部）２２９に係止可能となる。これにより、外筒２１の上動がロックされる（上動ロック状態）。
【００４７】
外筒２１が下位置に操作された状態では、図１９、２０及び２８に示したように、開閉蓋２３が開状態となる。したがって、使用者は、外筒２１が下位置で押圧ロック片２８を押圧操作して簡単にロックすることができる。これにより、開閉蓋２３の開状態を保持したまま、インキパッド容器２５を取り出し、インキパッド２６の交換やインキの補充等を容易にすることができる。
【００４８】
本実施形態の印判２は、外筒２１が上動ロック状態のときでも、スライド操作片２９をロック操作許容位置からロック解除位置にスライド操作することにより、簡単にロック解除を行うことができる。すなわち、図３１及び３２に示されるように、スライド操作片２９が右側のロック解除位置にスライド操作がされるのに連動して、押圧ロック片２８が押圧位置から非押圧位置に引き出される。これにより、外筒２１の上動ロックが解除される。
【００４９】
また、本実施形態の印判２は、捺印時に外筒２１の下動に連動してスライド操作片２９をロック解除位置からロック操作許容位置に自動的に復帰させるように構成されたスライド操作片復帰手段を更に備えている。スライド操作片復帰手段は、例えば図３３に示されるような内筒２２に形成されるリブ２２１と、スライド操作片２９の背面側においてべベルエッジを有するガイド突起部２９１とを備えている。リブ２２１の先端には傾斜面部２２１ａが形成されている。より詳細に説明すると、傾斜面部２２１ａは、外筒２１及び内筒２２が上下動する動線方向に対し横方向に向けて所定角度で傾く方向に面法線を有している。
【００５０】
図３４に示されるように、印判２の捺印操作に伴い外筒２１が下動中に、リブ２２１の傾斜面部２２１ａとスライド操作片２９の１つのガイド突起部２９１とが当接する。そして、リブ２２１の傾斜面部２２１ａとガイド突起部２９１のべベルエッジとが摺動し、リブ２２１が上動する力がスライド操作片２９を横移動させる力に変換される。これにより、スライド操作片２９が、右側のロック解除位置から左側のロック操作許容位置に向けて移動する。
【００５１】
本実施形態の印判２は、このような捺印操作に連動するスライド操作片復帰手段を備えているので、使用者がスライド操作片２９をその都度ロック操作許容位置に戻す手間を省くことができる。スライド操作片２９が右側のロック解除位置では、図３５に示されるように押圧ロック片２８とスライド操作片２９とが当接するため、押圧ロック操作が困難となる場合がある。しかし、スライド操作片２９が左側のロック操作許容位置に戻されていれば、図３６に示されるように、押圧ロック片２８とスライド操作片２９とを摺動させずに小さな力で押圧ロック操作が可能となる。
【符号の説明】
【００５２】
１、２  印判
１１  外筒
１２  内筒
１２ａ  下端部
１３  開閉蓋
１４  印字体
１８  押圧ロック片
１９  スライド操作片
２１  外筒
２２  内筒
２２ａ  下端部
２３  開閉蓋
２４  印字体
２８  押圧ロック片
２９  スライド操作片
１２８  上端角部（上係止部）
１２９  溝孔部（下係止部）
１８１  押圧操作部
１８２  ロック部
１８３  傾斜背面部
１９１  操作板部
１９２  開口部
１９３  係合ガイド部
１９４  突起部
２２１  リブ
２２１ａ  傾斜面部
２２８  段部（上係止部）
２２９  段部（下係止部）
２８１  押圧操作部
２８２  ロック部
２８３  傾斜背面部
２９１  ガイド突起部
２９５  傾斜面部
【図１】
2019006069.tif 000003
【図２】
2019006069.tif 000004
【図３】
2019006069.tif 000005
【図４】
2019006069.tif 000006
【図５】
2019006069.tif 000007
【図６】
2019006069.tif 000008
【図７】
2019006069.tif 000009
【図８】
2019006069.tif 000010
【図９】
2019006069.tif 000011
【図１０】
2019006069.tif 000012
【図１１】
2019006069.tif 000013
【図１２Ａ】
2019006069.tif 000014
【図１２Ｂ】
2019006069.tif 000015
【図１３】
2019006069.tif 000016
【図１４Ａ】
2019006069.tif 000017
【図１４Ｂ】
2019006069.tif 000018
【図１５】
2019006069.tif 000019
【図１６Ａ】
2019006069.tif 000020
【図１６Ｂ】
2019006069.tif 000021
【図１７Ａ】
2019006069.tif 000022
【図１７Ｂ】
2019006069.tif 000023
【図１８】
2019006069.tif 000024
【図１９】
2019006069.tif 000025
【図２０】
2019006069.tif 000026
【図２１】
2019006069.tif 000027
【図２２】
2019006069.tif 000028
【図２３Ａ】
2019006069.tif 000029
【図２３Ｂ】
2019006069.tif 000030
【図２４Ａ】
2019006069.tif 000031
【図２４Ｂ】
2019006069.tif 000032
【図２５】
2019006069.tif 000033
【図２６】
2019006069.tif 000034
【図２７Ａ】
2019006069.tif 000035
【図２７Ｂ】
2019006069.tif 000036
【図２８】
2019006069.tif 000037
【図２９】
2019006069.tif 000038
【図３０】
2019006069.tif 000039
【図３１】
2019006069.tif 000040
【図３２】
2019006069.tif 000041
【図３３】
2019006069.tif 000042
【図３４】
2019006069.tif 000043
【図３５】
2019006069.tif 000044
【図３６】
2019006069.tif 000045